(57)【要約】【課題】ＨＤＭＩによるデジタルインタフェースを使用して外部機器を接続可能とした表示装置において、接続された外部機器を特定可能とする表示用情報をユーザが任意に設定できるようにする。【解決手段】表示装置では、予めＨＤＭＩ接続された外部機器が保持する機種や型番などの識別情報を取得し、その識別情報に基づく表示用情報をユーザが任意に設定できる。そして表示装置または外部機器が電源ＯＮになったとき（Ｓ１１）、表示装置はＣＥＣコマンドを使用して外部機器の識別情報を取得する（Ｓ１２）。そして表示装置では、取得した識別情報と自身が保存する識別情報とを比較して、一致する識別情報があるかどうかを判別する（Ｓ１３）。ここで一致する識別情報があれば、その識別情報に関連付けて保存している表示用情報を表示する（Ｓ１４）。またこれらが一致しなければ、外部機器から取得した識別情報を表示する（Ｓ１５）。【選択図】図３
2008078867.tif 000002
【特許請求の範囲】
【請求項１】
ＨＤＭＩ規格に基づくインタフェースを使用して外部機器を接続可能とした表示装置において、該表示装置は、ＨＤＭＩ規格に基づくＣＥＣコマンドを使用して、該表示装置に接続された前記外部機器から、前記外部機器が保持している該外部機器の識別情報を取得し、取得した該識別情報に関連付けて、該外部機器を特定するための任意の表示用情報を設定可能としたことを特徴とする表示装置。
【請求項２】
請求項１に記載の表示装置において、該表示装置は、前記ＣＥＣコマンドを使用して所定のタイミングで前記外部機器から前記識別情報を取得し、取得した該識別情報に関連付けられた前記表示用情報が設定されている場合、該設定された表示用情報を表示可能としたことを特徴とする表示装置。
【請求項３】
請求項１に記載の表示装置において、該表示装置は、前記外部機器から前記識別情報を取得した際に、該取得した識別情報に関連付けられた表示用情報が設定されていない場合には、前記識別情報または該識別情報に基づく機器名情報を表示することを特徴とする表示装置。
【請求項４】
請求項１に記載の表示装置において、該表示装置は、前記表示用情報を設定した際に、前記ＣＥＣコマンドを使用して、前記識別情報を取得した前記外部機器に対して前記表示用情報を送信することを特徴とする表示装置。
【請求項５】
請求項４に記載の表示装置において、該表示装置は、前記ＣＥＣコマンドを使用して所定のタイミングで前記外部機器から前記表示用情報を取得し、取得した表示用情報を表示可能としたことを特徴とする表示装置。
【請求項６】
請求項２または５に記載の表示装置において、前記所定のタイミングは、前記表示装置と前記外部機器との間の前記ＣＥＣコマンドによる通信が不可能な状態から可能になった状態に移行したタイミングであることを特徴とする表示装置。
【請求項７】
ＨＤＭＩ規格に基づくＡＶデータのストリームを出力または中継可能なＡＶ装置において、該ＡＶ装置は、ＨＤＭＩ規格に基づくＣＥＣコマンドを使用して、該ＡＶ装置が保持している自身の識別情報を、該ＡＶ装置が接続する表示装置に対して送信し、該ＡＶ装置は、前記送信した識別情報に関連付けられて設定された表示用情報を受信して保存し、該保存している表示用情報を所定のタイミングで前記表示装置に出力することを特徴とするＡＶ装置。
【請求項８】
請求項７に記載のＡＶ装置において、前記所定のタイミングは、前記表示装置と前記ＡＶ機器との間で前記ＣＥＣコマンドによる通信が不可能な状態から可能になった状態に移行したタイミングであることを特徴とするＡＶ装置。
【請求項９】
請求項１ないし６のいずれか１に記載の表示装置と、請求項７または８に記載のＡＶ装置とを有し、前記ＡＶ装置を前記外部装置として前記表示装置に接続してなることを特徴とする表示システム。
【発明の詳細な説明】
【技術分野】
【０００１】
本発明は、表示装置、ＡＶ装置及び表示システム、より詳細には、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）によるデジタルインタフェースによりＤＶＤ再生装置などのＡＶ装置と接続可能な表示装置と、その表示装置に外部機器として接続されるＡＶ装置と、これら表示装置及びＡＶ装置を備えた表示システムとに関する。
【背景技術】
【０００２】
映像伝送用のデジタルインタフェースとしてＨＤＭＩが普及している。ＨＤＭＩは、ＰＣとディスプレイの接続標準規格であるＤＶＩに音声伝送機能や著作権保護機能を加えて、ＡＶ機器向けにアレンジしたものとなっている。
従来は機器間の接続にビデオ、オーディオ、コントロールの各信号用の複数のケーブルを用いていたが、ＨＤＭＩではケーブル１本で済み、コントロール信号は双方向の伝送に対応しているため、例えばモニターからＨＤＭＩで接続されたＳＴＢ（Ｓｅｔ  Ｔｏｐ  Ｂｏｘ）やＤＶＤプレーヤ等の出力装置にコントロール信号を中継することによって、一つのリモコンでホームシアタなどのＡＶシステム全体を操作することも可能となる。
【０００３】
このようなＨＤＭＩによるインタフェースを利用したＡＶシステムでは、例えばＳｉｎｋ機器である表示装置のＨＤＭＩ端子に対して、ＨＤＭＩのＳｏｕｒｃｅ機器である各種の出力機器や、その出力機器のストリームを中継するリピータ機器などの外部機器が接続される。このときに例えば表示装置がＨＤＭＩ入力端子を複数備えている場合、あるいはＡＶアンプなどの複数のＨＤＭＩ入力端子を備える外部機器が表示装置のＨＤＭＩ端子に接続されている場合など、その表示装置を含むＡＶシステムには複数の出力機器が接続可能である。
【０００４】
このような場合、表示装置では出力機器が予め保持している機器の識別情報を取得し、入力切換メニュー等の入力表示において、その機器情報に基づく機器名等の識別情報を表示している。あるいは出力機器から取得した機器情報に応じて予め用意した機器名情報から選択された機器の識別情報を表示するようにしている。この場合に識別情報とは、例えば機器のメーカーが定めた機器名や型番などの情報である。
【０００５】
このような複数の機器が接続されたシステムにおける機器名情報の表示技術に関し、例えば、特許文献１には、複数の外部ビデオ入力端子を有するテレビジョン受像機において、外部ビデオ入力端子に接続されたビデオ機器の名称に対応した名称を表示可能とし、外部ビデオ入力が選択されたとき対応する名称が表示されるようにしたテレビジョン受像機が開示されている。これにより複数の外部ビデオ入力端子をユーザが自由に有効利用できると共に、選択されたビデオ機器が一見してわかるようになっている。
【特許文献１】特許第２７６５８３４号公報
【発明の開示】
【発明が解決しようとする課題】
【０００６】
上記のようなＡＶシステムにおいて、表示装置に接続された外部機器の機器名等の識別情報を表示する場合、従来では、表示機器に複数の外部機器を接続する場合であっても、特定の種類の外部機器（例えば、ＤＶＤプレーヤ，ＨＤＤレコーダ，ＳＴＢ（Ｓｅｔ  Ｔｏｐ  Ｂｏｘ）は、それぞれ１台ずつ接続されることを想定していた。従って、表示装置に外部機器の識別情報を表示する際にも、特に表示上の混乱が生じることはなかった。
【０００７】
しかしながら、上述のように複数の外部入力端子を備えた表示機器に対して、同じ種類の出力機器を複数接続するような使用形態が普通となり、上記のような従来の表示方式では不都合が生じている。例えば、表示装置であるテレビ装置のＨＤＭＩ力端子に対して、ＤＶＤプレーヤを複数接続した形態で使用されることもある。
【０００８】
このような場合、従来の外部機器の表示方法によれば、例えば表示装置が複数の同一機種の外部機器からその識別情報を取得した場合には、識別情報が同じであるためこれらの区別をつけることができない。例えば、表示装置の入力１及び入力２に二つの同一機種のＤＶＤプレーヤが接続されているとき、これらのＤＶＤプレーヤが保持する識別情報は同じであり、入力１，２には同じ識別情報が表示されるため、これら入力１，２に接続されているＤＶＤプレーヤを表示画面上で区別することはできない。
【０００９】
またＨＤＭＩでは、外部機器の設置位置を特定するための物理アドレスは、表示装置（Ｓｉｎｋ機器）との間で通信が行われた順に割り当てられる。ここで例えばＤＶＤ１及びＤＶＤ２が同時に表示装置に接続されている場合、瞬間的な停電が生じたり、ＨＤＭＩケーブルが一旦抜かれて差し直された場合、あるいは外部機器のＡＣ電源が抜かれて再度差し直された場合などにおいて、通信が回復した順にアドレスが割り当てられるため、入力１のＤＶＤプレーヤと入力２のＤＶＤプレーヤとが入れ替わってしまう可能性があり、ユーザに混乱を生じさせる要因となる。
【００１０】
また上記特許文献１のテレビジョン受像機は、基本的にはＨＤＭＩのインタフェースにより接続されたシステムに関するものではなく、ＨＤＭＩにて接続された外部機器の識別表示を取り扱う技術は全く開示されていない。また特許文献１では、テレビジョン装置の各ビデオ端子入力に対応する名称をテレビジョン装置にて予め複数個用意し、その中からユーザが所望の名称を選択して表示させるようにしたものであった。この場合、機器名称を任意に付与することができないため利便性が低く、例えば同じ機器が同時に表示装置に接続されている場合などにユーザがわかりにくくなる、という課題が生じる。
【００１１】
本発明は、上述のごとき実情に鑑みてなされたもので、ＨＤＭＩによるデジタルインタフェースを使用して外部機器を接続可能とした表示装置において、接続された外部機器を特定可能とする表示用情報をユーザが任意に設定できるようにすることで、同一機種の外部機器が複数接続されていても混乱を生じることなく接続機器を容易に認識できるようにした表示装置と、その表示装置を備えた表示システムとを提供することを目的とする。
【課題を解決するための手段】
【００１２】
上記課題を解決するために、本発明の第１の技術手段は、ＨＤＭＩ規格に基づくインタフェースを使用して外部機器を接続可能とした表示装置において、表示装置が、ＨＤＭＩ規格に基づくＣＥＣコマンドを使用して、表示装置に接続された外部機器から、外部機器が保持している外部機器の識別情報を取得し、取得した識別情報に関連付けて、外部機器を特定するための任意の表示用情報を設定可能としたことを特徴としたものである。
【００１３】
第２の技術手段は、第１の技術手段において、表示装置が、ＣＥＣコマンドを使用して所定のタイミングで外部機器から識別情報を取得し、取得した識別情報に関連付けられた表示用情報が設定されている場合、設定された表示用情報を表示可能としたことを特徴としたものである。
【００１４】
第３の技術手段は、第１の技術手段において、表示装置が、外部機器から識別情報を取得した際に、取得した識別情報に関連付けられた表示用情報が設定されていない場合には、識別情報または識別情報に基づく機器名情報を表示することを特徴としたものである。
【００１５】
第４の技術手段は、第１の技術手段において、表示装置が、表示用情報を設定した際に、ＣＥＣコマンドを使用して、識別情報を取得した外部機器に対して表示用情報を送信することを特徴としたものである。
【００１６】
第５の技術手段は、第４の技術手段において、表示装置が、ＣＥＣコマンドを使用して所定のタイミングで外部機器から表示用情報を取得し、取得した表示用情報を表示可能としたことを特徴としたものである。
【００１７】
第６の技術手段は、第２または第５の技術手段において、上記の所定のタイミングが、表示装置と外部機器との間のＣＥＣコマンドによる通信が不可能な状態から可能になった状態に移行したタイミングであることを特徴としたものである。
【００１８】
第７の技術手段は、ＨＤＭＩ規格に基づくＡＶデータのストリームを出力または中継可能なＡＶ装置において、ＡＶ装置は、ＨＤＭＩ規格に基づくＣＥＣコマンドを使用して、ＡＶ装置が保持している自身の識別情報を、ＡＶ装置が接続する表示装置に対して送信し、ＡＶ装置は、送信した識別情報に関連付けられて設定された表示用情報を受信して保存し、保存している表示用情報を所定のタイミングで表示装置に出力することを特徴としたものである。
【００１９】
第８の技術手段は、第７の技術手段において、上記の所定のタイミングが、表示装置とＡＶ機器との間でＣＥＣコマンドによる通信が不可能な状態から可能になった状態に移行したタイミングであることを特徴としたものである。
【００２０】
第９の技術手段は、第１ないし第６のいずれか１の技術手段と、第７または第８の技術手段とを有し、ＡＶ装置を外部装置として表示装置に接続してなることを特徴としたものである。
【発明の効果】
【００２１】
本発明によれば、ＨＤＭＩによるデジタルインタフェースを使用して外部機器を接続可能とした表示装置において、接続された外部機器を特定可能とする表示用情報をユーザが任意に設定できるようにすることで、同一機種の外部機器が複数接続されていても混乱を生じることなく、接続機器を容易に認識できるようにした表示装置と、その表示装置を備えた表示システムとを提供することができる。
【発明を実施するための最良の形態】
【００２２】
本発明の実施形態では、ＨＤＭＩインタフェースを備えたテレビ装置などの表示装置において、ＨＤＭＩ接続された外部機器が保持する識別情報を取得し、その識別情報に基づく表示用情報をユーザが任意に設定できるようにする。つまり表示用情報は、外部機器のそれぞれに対して個々に設定可能なラベル情報であり、複数の同一機種の外部機器に対しても個々に別々の表示用情報をラベリングすることができる。
【００２３】
上記識別情報は、例えば上述したように機器のメーカーが定めた機種（型番）ごとの識別情報である。また外部機器としては、ＡＶデータストリームを出力可能な出力装置や、出力装置から出力されたストリームを中継するＡＶアンプなどのリピータ機器など、表示装置にＨＤＭＩ接続されるＡＶ機器を全て含むものとする。
【００２４】
そして本発明に係る一実施形態では、設定した表示用情報を表示装置側に保持しておき、表示装置に対してＨＤＭＩ機器が接続されたとき、あるいは接続されたＨＤＭＩ機器の電源がＯＮになって通信が行われたときにそのＨＤＭＩ機器が保持する識別情報を表示装置が取得する。そして表示装置では取得した識別情報に基づいて、予め設定されている表示用情報を表示することができる。
【００２５】
また本発明に係る他の実施形態では、表示装置にて設定された表示用情報は、その表示装置に接続された外部機器に転送され、外部機器にて機器名称情報を保持させるようにする。そして表示装置ではその外部機器の電源がＯＮになったとき、あるいはＨＤＭＩケーブルが差し替えられたときなどにその機器名称情報を取得して、表示画面に表示させることができる。
【００２６】
さらに本発明に係る他の実施形態では、表示装置にて設置された表示用情報は、表示装置で保持するとともに、接続された外部機器に対して転送して保持させるようにする。そして表示装置では、外部機器から表示用情報が取得できればその表示用情報を表示し、取得できなければ外部機器の識別情報を取得して、その識別情報に対応した表示用情報を検索して表示させるようにする。
【００２７】
表示装置における外部機器の識別情報の取得、及び外部機器に対した設定した表示用情報の転送には、ＨＤＭＩ規格に含まれるＣＥＣ（Ｃｏｎｓｕｍｅｒ  Ｅｌｅｃｔｒｏｎｉｃｓ  Ｃｏｎｔｒｏｌ）を使用する。ＣＥＣは、ＨＤＭＩで規格化されている制御プロトコルであり、そのプロトコルに基づく制御信号であるＣＥＣコマンドを機器間でやりとりすることにより、表示装置において外部機器の接続構成を認識し、接続された外部機器から識別情報を取得したり、表示用情報を記憶させたりする処理を実行させることができる。
【００２８】
図１は、本発明の表示装置の一実施形態を説明するためのブロック図で、本発明の表示装置をテレビ装置に適用した例を示すものである。
表示装置１０は、ＨＤＭＩレシーバ１１と、ＨＯＳＴ  ＣＰＵ１２と、モニターマイコン１３とを備えている。ＨＤＭＩレシーバ１１は、出力装置やリピータ機器などのＨＤＭＩ対応の外部機器から送信されたストリームを受信する。
【００２９】
ＨＯＳＴ  ＣＰＵ１２は装置全体を制御している。またモニターマイコン１３はＣＥＣコマンドを転送するためのＣＥＣラインが接続される。モニターマイコン１３は、装置がスタンバイモードになっているときでも動作し、ＣＥＣコマンドの送受信とリモコン信号の受信とが可能な状態に維持される。
【００３０】
また表示装置１０には、ＨＤＭＩ以外の複数の外部入力が可能になっている。外部部入力の切換はビデオスイッチ１６で実行される。ビデオスイッチ１６で切り替えられた映像信号やＨＤＭＩレシーバ１１で受信したデータストリームは、ビデオプロセッサ１４に入力し、各種の映像信号変換処理が行われる。例えばビデオプロセッサ１４では、ノイズリダクション、スケーリングやＩＰ変換等の映像信号変換処理、あるいは画質強調補正処理やγ補正処理等の画質調整を適宜実施する。そしてビデオプロセッサ１４から出力される表示用の映像信号に従って表示デバイス１５が駆動制御されて映像表示が行われる。表示デバイス１５の表示部には例えば液晶パネルが用いられる。
【００３１】
また上記では映像信号の処理ブロックを示したが、ＨＤＭＩレシーバ１１では入力したストリームの映像／音声が分離され、分離された音声信号は図示しないスピーカから音声出力される。
【００３２】
図２は、本発明が適用可能なＡＶシステムの構成例を説明するためのブロック図で、表示装置１０と、リピータ機器２０と、出力装置３０とが接続されている構成例を示すものである。上記のようにリピータ機器２０及び出力装置３０は本発明に係るＡＶ機器に該当し、かつ表示装置１０に接続された外部機器に該当する。そして出力装置３０とリピータ機器２０とはＨＤＭＩケーブルによって接続され、さらにリピータ機器２０と表示装置１０とがＨＤＭＩケーブルによって接続される。
【００３３】
出力装置３０は、例えばＨＤＭＩ端子を持つＤＶＤレコーダやＨＤＤレコーダ、Ｄ−ＶＨＳレコーダ、デジタルビデオカメラなどであり、リピータ機器２０は、ＨＤＭＩのストリームを中継して入出力可能なＨＤＭＩ端子をもつＡＶアンプなどであり、表示装置１０はＨＤＭＩ端子をもつ液晶テレビやモニターなどである。ＡＶアンプなどのリピータ機器が複数のＨＤＭＩストリームの入力端子を持っていれば、複数の出力装置３０を接続することができ、ＡＶアンプのセレクタ機能によって入力ラインを切り替えることができる。
【００３４】
ＨＤＭＩケーブルは、デジタル信号である映像・音声信号を差動方式で伝送するためのＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）ライン（デジタル信号転送ライン）４１と、機器間で共通の制御信号（ＣＥＣコマンド）を伝送する双方向バスであるＣＥＣライン４２とを含んでいる。またこの他、ＨＤＭＩケーブルには、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）の送信やＨＤＣＰ認証等に利用される図示しないＤＤＣラインが含まれる。
【００３５】
ビデオ／音声を含むストリームは、ＴＭＤＳライン４１用いて伝送される。ＴＭＤＳライン４１はシリアル伝送路であり、例えば赤（Ｒ），緑（Ｇ），青（Ｂ）のチャンネル毎の３つのデータ伝送路と、１つのクロック伝送路とが設けられている。Ｒ，Ｇ，Ｂに分解された映像信号は伝送路内をベースバンド信号で伝送され、音声信号は映像信号のブランキング期間に挿入されて映像信号と同時に伝送される。ＨＤＭＩは、５．１ｃｈや６．１ｃｈなどマルチサラウンドの音声信号の伝送にも対応しており、マルチサラウンド音声信号を映像信号に挿入して同時に伝送することができる。
【００３６】
また本発明に係る表示装置１０における外部機器の表示機能を実現するために、ＣＥＣライン４２を介して転送されるＣＥＣコマンドが用いられる。上述のように、ＣＥＣはＨＤＭＩで規格化されている制御プロトコルであり、ＣＥＣコマンドはＣＥＣプロトコルに基づく制御信号である。そしてＣＥＣコマンドを用いて機器間で情報をやりとりすることにより、表示装置１０と接続機器との間で各種の動作制御を実現する。
【００３７】
出力装置３０は、ＨＤＭＩトランスミッタ３１、ＨＯＳＴ  ＣＰＵ３２、フロントマイコン３３、ＣＥＣ  Ｉ／Ｆ３４を備えている。ＨＤＭＩトランスミッタ３１は、例えばＤＶＤなどのメディアに記録されている映像データと音声データとを読み出し、音声信号が映像信号のブランキング期間に挿入されたＨＤＭＩ形式のストリームに変換する。そして、変換したストリームをＴＭＤＳライン４１によってリピータ機器２０へ転送する。ＨＯＳＴ  ＣＰＵ３２はＨＤＭＩコントローラを含み、ＨＤＭＩトランスミッタ３１の動作を制御する。
【００３８】
ＣＥＣ  Ｉ／Ｆ３４は、ＨＤＭＩケーブル内のＣＥＣライン４２を接続し、リピータ機器２０との間でＣＥＣコマンドの双方向通信を可能とする。ＣＥＣ  Ｉ／Ｆ３４の動作は、ＣＥＣコントローラを含むフロントマイコン３３により制御され、ＣＥＣコマンドによってＨＤＭＩ接続された機器を制御することができる。ＣＥＣの場合、ＨＤＭＩ接続された各機器の論理アドレス（機器の種別）と物理アドレス（機器の位置）が取得されるため、この論理アドレスと物理アドレスを指定することで所望の機器にＣＥＣコマンドを送信することができる。
【００３９】
ＨＯＳＴ  ＣＰＵ３２は装置全体を制御する。またフロントマイコン３３は低電力で動作し、常にＣＥＣライン４２から転送されてくるＣＥＣコマンドを監視する。またリモコン装置があれば、そのリモコン信号の送信の有無を監視する。また装置のスタンバイモードなどによってＨＯＳＴ  ＣＰＵ３２がダウンしているときも、フロントマイコン３３は動作している（少なくともＣＥＣコマンドの転送が可能な状態で動作する）。
【００４０】
リピータ機器２０は、ＨＤＭＩレシーバ２１、ＨＤＭＩトランスミッタ２２、ＨＯＳＴ  ＣＰＵ２３、フロントマイコン２４、及びＣＥＣ  Ｉ／Ｆ２５を備えている。リピータ機器２０は、出力装置３０から転送されたストリームをＨＤＭＩレシーバ２１で受信し、さらにＨＤＭＩトランスミッタ２２から送出して、表示装置１０に転送する。またＣＥＣ  Ｉ／Ｆ２５によって、出力装置３０との間のＣＥＣライン４２と、表示装置１０との間のＣＥＣライン４２とを接続する。
【００４１】
ＨＯＳＴ  ＣＰＵ２３とフロントマイコン２４は、上述の出力装置３０と同様の機能を備え、ＨＯＳＴ  ＣＰＵ２３は、ＨＤＭＩレシーバ２１とＨＤＭＩトランスミッタ２２とを制御するともに装置全体を制御する。またフロントマイコン１３はＣＥＣコントローラを含み、ＣＥＣライン４２から転送されてくるＣＥＣコマンドを監視する。
【００４２】
またＡＶアンプなどのように、リピータ機器２０に複数のＨＤＭＩ入力端子がある場合、複数のＨＤＭＩ機器を出力装置３０として接続することができる。この場合、リピータ機器２０のセレクト機能により、表示装置１０に転送するストリームの入力ポートを適宜切り替えることができる。そしてストリームの入力ポートの切替は、表示装置１０に対する操作に応じたＣＥＣコマンドによって実現することができる。
【００４３】
表示装置１０は、ＨＤＭＩレシーバを内蔵したＨＯＳＴ  ＣＰＵ１７、モニターマイコン１３、ＣＥＣ  Ｉ／Ｆ１８を備えている。表示装置１０は、リピータ機器２０から送出されたストリームをＨＤＭＩレシーバ内蔵のＨＯＳＴ  ＣＰＵ１７で受信する。またＣＥＣ  Ｉ／Ｆ３４によってリピータ機器２０との間のＣＥＣライン４２が接続される。
【００４４】
ＨＯＳＴ  ＣＰＵ１７はＨＤＭＩレシーバを内蔵し、また装置全体を制御している。ＨＤＭＩレシーバ内蔵のＨＯＳＴ  ＣＰＵ１７は、図１のＨＤＭＩレシーバ１１とＨＯＳＴ  ＣＰＵ１２とに該当し、図１の構成のようにこれらＨＤＭＩレシーバとＨＯＳＴ  ＣＰＵとが分離された構成であってもよい。
【００４５】
またモニターマイコン１３は、ＣＥＣライン４２のコントローラを含み、ＣＥＣライン４２から転送されてくるＣＥＣコマンドを監視する。またモニターマイコン１３は、リモコン装置５０からのリモコン信号を受信する受光部１９を制御している。そして装置のスタンバイモードなどにおいてＨＯＳＴ  ＣＰＵ１７がダウンしているときでも、モニターマイコン１３が動作し、ＣＥＣコマンドの送受信とリモコン信号の受信とが可能な状態に維持される。
【００４６】
表示装置１０では、ＨＯＳＴ  ＣＰＵ１７に内蔵されたＨＤＭＩレシーバによりストリームの映像／音声が分離され、必要に応じて所定の映像信号処理及び音声信号処理を行って、ディスプレイ等の表示画面に映像表示を行うとともに、スピーカから音声出力させる。またＨＤＭＩではない経路から映像／音声信号が入力する場合には、ビデオ／オーディオスイッチにより出力信号が切り替えられる。
【００４７】
図３は、本発明の表示装置における表示用情報の設定処理例を説明するためのフローチャートである。本発明に係る実施形態では、複数の外部機器が接続された表示装置において、ＨＤＭＩ接続された外部機器からＣＥＣコマンドを用いて取得した識別情報に基づいて各外部機器に固有の表示用情報を設定する（ステップＳ１）。表示用情報は、上述のように各外部機器に対して個々に設定可能なラベル情報であり、複数の同一機種の外部機器に対しても個々に別々の表示用情報をラベリングすることできるものである。
【００４８】
上記のラベル情報には、例えば外部機器を使用するユーザ名を設定することができる。例えばその一例として、同じ機種の２台の外部機器（例えばＨＤＤ）が接続されている場合、その一方（ＨＤＤ１）に対して“お父さん用ＨＤＤ”という表示用情報をラベリングし、他方（ＨＤＤ２）に対して“お母さん用ＨＤＤ”という表示用情報をラベリングすることができる。このような表示用情報を設定することで、同一機種の複数の外部機器が表示装置に接続されている場合であっても、ユーザが容易にこれらを区別して認識することができるようになる。
【００４９】
そして本発明に係る一実施例では、表示装置で設定された外部機器の表示用情報は、表示装置の内部メモリ領域に保存する（ステップＳ２）。このときに各外部機器が元々保持している識別情報（機種や型番など）と関連付けて表示用情報を記録しておく。
【００５０】
また本発明に係る他の実施例（実施例２）では、表示装置で設定された外部機器の表示用情報は、ＨＤＭＩ接続された各外部機器に対してＣＥＣコマンドを用いて送信される。そして外部機器では、内部のメモリ領域に自身の表示用情報を保存する（ステップＳ３）。
【００５１】
さらに本発明に係る更に他の実施例（実施例３）では、表示装置で設定された外部機器の表示用情報は、表示装置の内部メモリ領域に保存し、かつＨＤＭＩ接続された各外部機器に対してＣＥＣコマンドを用いて送信される。そして外部機器では、内部のメモリ領域に自身の表示用情報を保存する（ステップＳ４）。また表示装置では、各外部機器が保持している識別情報（機種や型番など）と関連付けて表示用情報を記録しておく。
【００５２】
図４は、本発明の表示装置における外部機器の情報表示処理の一例を説明するためのフローチャートで、表示装置にて表示用情報を保存する実施例１の判別処理例を示すものである。表示装置に対して外部機器が接続されたシステムにおいて、表示装置は、表示装置自身もしくは外部機器のいずれかが電源ＯＮになったときに（ステップＳ１１）、ＨＤＭＩ接続された外部機器からＣＥＣコマンドを使用してその機器の識別情報（機種や型番など）を取得する（ステップＳ１２）。
【００５３】
なおこの場合の電源ＯＮは、機器へのＡＣ電源の供給が無くＣＥＣコマンドの通信が不可能状態から、電源が供給されてＣＥＣコマンドの通信が可能な状態になったタイミングを指す。従ってこのような電源ＯＮのみならず、ＨＤＭＩケーブルが一旦抜かれて再度接続されたようなときにも、ＣＥＣによる通信が行われて外部機器の識別情報を取得することができる。以下の実施例においても同様である。
また表示装置において、ＨＤＭＩケーブルが抜かれたり、外部機器へのＡＣ電源供給が途絶えることでＣＥＣのリンク外れた場合に、その旨を表示させてユーザに注意を促すようにしてもよい。
【００５４】
そして表示装置では、外部機器から取得した識別情報と自身が保持している外部機器の識別情報とを比較して、一致する識別情報があるかどうかを判別する（ステップＳ１３）。ここで表示装置に保存している識別情報と外部機器から取得した識別情報とが一致すれば、その識別情報に関連付けて保存されている表示用情報を表示装置の画面に表示する（ステップＳ１４）。また表示装置に保存している識別情報と外部機器から取得した識別情報とが一致しなければ、外部機器から取得した識別情報を表示する（ステップＳ１５）。この場合、外部機器から取得した識別情報をそのまま表示してもよく、識別情報から導くことができる機器の種類情報などを表示させるようにしてもよい。
【００５５】
図５は、本発明の表示装置における外部機器の情報表示処理の他の例を説明するためのフローチャートで、外部装置にて表示用情報を保存する実施例２の判別処理例を示すものである。表示装置に対して外部機器が接続されたシステムにおいて、表示装置は、表示装置自身もしくは外部機器のいずれかが電源ＯＮになったときに（ステップＳ２１）、ＨＤＭＩ接続された外部機器からＣＥＣコマンドを使用して、その機器が保持している表示用情報を取得する（ステップＳ２２）。この表示用情報は、上記図３のステップＳ３において表示装置からその外部機器に送信されたものである。
【００５６】
そして表示装置では、外部機器からの表示用情報の取得が成功したかどうかを判別する（ステップＳ２３）。この場合、表示用情報を保存していない新たな外部機器が接続された場合には、当然に外部機器から表示用情報を取得することはできない。
【００５７】
ここで表示装置が外部機器からの表示用情報の取得に成功すれば、取得した表示用情報を表示装置に表示する（ステップＳ２４）。また表示用情報の取得に失敗した場合、表示装置ではその外部機器から識別情報（機種や型番など）を取得し、その識別情報を表示する（ステップＳ２５）。ここでは外部機器から取得した識別情報をそのまま表示してもよく、識別情報から導くことができる機器の種類情報などを表示させるようにしてもよい。
【００５８】
図６は、本発明の表示装置における外部機器の情報表示処理の更に他の例を説明するためのフローチャートで、表示装置と外部装置にて表示用情報を保存する実施例３の判別処理例を示すものである。
表示装置に対して外部機器が接続されたシステムにおいて、表示装置は、表示装置自身もしくは外部機器のいずれかが電源ＯＮになったときに（ステップＳ３１）、ＨＤＭＩ接続された外部機器からＣＥＣコマンドを使用して、その機器が保持している表示用情報を取得する（ステップＳ３２）。この表示用情報は、上記図３のステップＳ４において表示装置からその外部機器に送信されたものである。
【００５９】
そして表示装置では、外部機器からの表示用情報の取得が成功したかどうかを判別する（ステップＳ３３）。この場合、表示用情報を保存していない新たな外部機器が接続された場合には、当然に外部機器から表示用情報を取得することはできない。
【００６０】
ここで表示装置が外部機器からの表示用情報の取得に成功すれば、取得した表示用情報を表示装置に表示する（ステップＳ３４）。また表示用情報の取得に失敗した場合、表示装置では、外部機器から識別情報を取得してその識別情報と自身が保持している外部機器の識別情報とを比較し、一致する識別情報があるかどうかを判別する（ステップＳ３５）。
【００６１】
ここで表示装置に保存している識別情報と外部機器から取得した識別情報とが一致すれば、その識別情報に関連付けて保存されている表示用情報を表示装置の画面に表示する（ステップＳ３６）。また表示装置に保存している識別情報と外部機器から取得した識別情報とが一致しなければ、外部機器から取得した識別情報を表示する（ステップＳ３７）。この場合、外部機器から取得した識別情報をそのまま表示してもよく、識別情報から導くことができる機器の種類情報などを表示させるようにしてもよい。
【００６２】
なお、上記の例では外部機器が保持する識別情報は、同一の機種や型番において同一のものが付与されることが前提であるが、例えば製造番号などの機器固有の識別情報が付与される場合には、その固有の識別情報に対応させて任意の表示用情報を設定することができるようになる。
【００６３】
次に本発明の表示システムの実施形態は、上述の実施形態で説明したような表示装置と外部機器とにより構成されるものである。すなわち本発明の表示システムの実施形態により、表示装置に接続された外部機器を特定可能とする表示用情報をユーザが任意に設定でき、これにより外部機器の表示用情報を外部機器から取得した識別情報に基づいて自動的に表示させることができる。また外部機器で表示用情報を保持している場合には、その外部機器から取得した表示用情報を表示装置で表示させることができる。そして本発明に関わる表示システムにより、表示装置に対して同一機種の外部機器が複数接続されていても混乱を生じることなく、接続機器を容易に認識することができる。
【００６４】
なお上記実施形態では、Ｓｉｎｋ機器としてＨＤＭＩ端子を備えるテレビ装置を本発明の表示装置に適用した例で説明したが、本発明の表示システムは、ＨＤＭＩ端子と外部機器の入力表示を行う表示手段とを備えた機器システムであればよく、例えばＨＤＭＩ端子を備えるとともに小型ディスプレイを本体部に内蔵したＤＶＤ機器や、ＨＤＭＩ端子を備えるとともに本体に外部でディスプレイを接続したＤＶＤ機器等をＳｉｎｋ機器として用いてもよい。
【図面の簡単な説明】
【００６５】
【図１】本発明の表示装置の一実施形態を説明するためのブロック図である。
【図２】本発明が適用可能なＡＶシステムの構成例を説明するためのブロック図である。
【図３】本発明の表示装置における表示用情報の設定処理例を説明するためのフローチャートである。
【図４】本発明の表示装置における外部機器の情報表示処理の一例を説明するためのフローチャートである。
【図５】本発明の表示装置における外部機器の情報表示処理の他の例を説明するためのフローチャートである。
【図６】本発明の表示装置における外部機器の情報表示処理の更に他の例を説明するためのフローチャートである。
【符号の説明】
【００６６】
１０…表示装置、１１…ＨＤＭＩレシーバ、１２…ＨＯＳＴ  ＣＰＵ、１３…モニターマイコン、１４…ビデオプロセッサ、１５…表示デバイス、１６…ビデオスイッチ、１７…ＨＯＳＴ  ＣＰＵ、１８…ＣＥＣ  Ｉ／Ｆ、１９…受光部、２０…リピータ機器、２１…ＨＤＭＩレシーバ、２２…ＨＤＭＩトランスミッタ、２３…ＨＯＳＴ  ＣＰＵ、２４…フロントマイコン、２５…ＣＥＣ  Ｉ／Ｆ、３０…出力装置、３１…ＨＤＭＩトランスミッタ、３２…ＨＯＳＴ  ＣＰＵ、３３…フロントマイコン、３４…ＣＥＣ  Ｉ／Ｆ、４１…ＴＭＤＳライン、４２…ＣＥＣライン、５０…リモコン装置。
【図１】
2008078867.tif 000003
【図２】
2008078867.tif 000004
【図３】
2008078867.tif 000005
【図４】
2008078867.tif 000006
【図５】
2008078867.tif 000007
【図６】
2008078867.tif 000008